(57)【要約】【課題】同軸ケーブルの外部導体の横巻きの撚りを左撚り，右撚りの両方とし捻回特性等を向上させる。【解決手段】同軸ケーブル１は、中心導体３と、前記中心導体３の外周に形成された絶縁層７と、前記絶縁層７の外周に形成された外部導体９と、前記外部導体９を覆ったジャケット１３とを有している。そして、前記外部導体９は少なくとも複数の素線１１ａの横巻き右撚り層９ａと、複数の素線１１ｂの横巻き左撚りの撚り層９ｂとを有している。この構造により同軸ケーブル１の捻回特性等の向上を図っている。【選択図】      図１
2005317221.tif 000002
【特許請求の範囲】
【請求項１】
中心導体と、前記中心導体の外周に形成された絶縁層と、前記絶縁層の外周に形成された外部導体と、前記外部導体を覆ったジャケットとを有する同軸ケーブルにおいて、
前記外部導体は少なくとも複数の素線の横巻き右撚り層と、複数の素線の横巻き左撚り層とを有することを特徴とする同軸ケーブル。
【請求項２】
前記撚り層は２層からなり１層目は横巻き右撚り層または横巻き左撚り層のうち一方の層であり、２層目は前記１層目を覆うように形成された他方の層であることを特徴とする請求項１記載の同軸ケーブル。
【請求項３】
本体と、表示部とを備えた情報処理装置において、
前記情報処理装置には、前記本体と前記表示部との間の信号送受信用の同軸ケーブルが配線され、
前記同軸ケーブルは、中心導体と、前記中心導体の外周に形成された絶縁層と、前記絶縁層の外周に形成された外部導体と、前記外部導体を覆ったジャケットとを有し、
前記外部導体は少なくとも複数の導体の横巻き右撚り層と、複数の導体の横巻き左撚り層とを有することを特徴とする情報処理装置。
【請求項４】
前記表示部はヒンジ部により回転動作自在であり、前記同軸ケーブルは、前記ヒンジ部を通り配線されていることを特徴とする請求項３記載の情報処理装置。
【請求項５】
前記撚り層は２層からなり１層目は横巻き右撚り層または横巻き左撚り層のうち一方の層であり、２層目は前記１層目を覆うように形成された他方の層であることを特徴とする請求項３又は４記載の情報処理装置。
【発明の詳細な説明】
【技術分野】
【０００１】
本発明は、同軸ケーブル及び情報処理装置に係り、さらに詳細には、携帯電話，デジタルカメラ，ノートパソコン等において液晶部分と、キーボード下に配置された基板とを接続する極細の同軸ケーブル及び情報処理装置に関する。
【背景技術】
【０００２】
携帯電話の液晶配線材に対ノイズ対策としてシールドを持った極細の同軸ケーブルが使用され始めている。この極細の同軸ケーブルは携帯電話の液晶部分とキーボタンの下にある基板とを接続する用途で使用されており、携帯電話のヒンジ部分を通る配線となる。
【０００３】
また、最近では液晶の高解像度によりケーブルの芯数も増加しており、３０芯〜６０芯の極細同軸ケーブルを束ねて使用する。
【０００４】
さらに、携帯電話において、機器の小型化によるヒンジ部分の小型化及び配線の省スペース化、液晶部分の高可動化（液晶の開閉，回転等）が進んでいる。
【０００５】
そして、上述の極細の同軸ケーブルの外部導体は編組より横巻き構造がよく使用される。製造コストが掛からないためである。
【０００６】
図４（ａ），（ｂ），（ｃ），（ｄ）に外部導体が横巻きの同軸ケーブルを示す。すなわち、図４（ｂ）に示すように極細の同軸ケーブル５１は、中心導体５３と、前記中心導体の外周に形成された絶縁層５５と、前記絶縁層５５の外周に形成された外部導体５７と、前記外部導体５７を覆うジャケット５９を有する。そして、図４（ａ）に示すように外部導体５７は右撚り（Ｓ撚り）の横巻き構造になっている。
【０００７】
図４（ｄ）に示すように極細の同軸ケーブル６１は、中心導体６３と、前記中心導体６３の外周に形成された絶縁層６５と、前記絶縁層６５の外周に形成された外部導体６７と、前記外部導体６７を覆うジャケット６９を有する。そして、図４（ｃ）に示すように外部導体６７は左撚り（Ｚ撚り）の横巻き構造になっている。
【０００８】
また、特許文献１を参照。
【特許文献１】特開２００１−１２６５５２号公報
【発明の開示】
【発明が解決しようとする課題】
【０００９】
このような、従来の極細の同軸ケーブルは以下のような問題があった。すなわち、横巻き構造は横巻き素線の巻き方向（右方向もしくはＳ撚り方向，左撚り方向もしくはＺ撚り方向）により、ケーブルの捻回特性に方向性を持ってしまう。
【００１０】
例えば、横巻きの巻き方向を右方向（Ｓ撚り）にとると、ケーブルを左方向（Ｚ撚り）に捻回させるときは強く（素線が緩むため）、逆に右方向（Ｓ撚り）に捻回させると弱い（素線が締まるため）という問題があった。
【００１１】
さらにこの傾向は極細の同軸ケーブルを多芯束ねた場合、極細の同軸ケーブルの可動スペース（配線の逃げ）が少ない場合、極細の同軸ケーブルの捻回角度が大きい場合に起こり易いという問題があった。
【００１２】
なお、実験的にも横巻き左撚りの場合の撚りが緩む回転に対する断線回数は、撚りが締まる回転に対する断線回数より少ない。また、横巻き右撚りの場合の撚りが締まる回転に対する断線回数は、撚りが緩む回転に対する断線回数より多いということが確認されている。
【課題を解決するための手段】
【００１３】
本発明は、前述のごとき問題に鑑みてなされたもので、請求項１に係る発明は、中心導体と、前記中心導体の外周に形成された絶縁層と、前記絶縁層の外周に形成された外部導体と、前記外部導体を覆ったジャケットとを有する同軸ケーブルにおいて、
前記外部導体は少なくとも複数の素線の横巻き右撚り層と、複数の素線の横巻き左撚り層とを有する同軸ケーブルである。
【００１４】
請求項２に係る発明は、前記撚り層は２層からなり１層目は横巻き右撚り層または横巻き左撚り層のうち一方の層であり、２層目は前記１層目を覆うように形成された他方の層である請求項１記載の同軸ケーブルである。
【００１５】
請求項３に係る発明は、本体と、表示部とを備えた情報処理装置において、前記情報処理装置には、前記本体と前記表示部との間の信号送受信用の同軸ケーブルが配線され、
前記同軸ケーブルは、中心導体と、前記中心導体の外周に形成された絶縁層と、前記絶縁層の外周に形成された外部導体と、前記外部導体を覆ったジャケットとを有し、
前記外部導体は少なくとも複数の導体の横巻き右撚り層と、複数の導体の横巻き左撚り層とを有する情報処理装置である。
【００１６】
請求項４に係る発明は、前記表示部はヒンジ部により回転動作自在であり、前記同軸ケーブルは、前記ヒンジ部を通り配線されている請求項３記載の情報処理装置である。
【００１７】
請求項５に係る発明は、前記撚り層は２層からなり１層目は横巻き右撚り層または横巻き左撚り層のうち一方の層であり、２層目は前記１層目を覆うように形成された他方の層である請求項３又は４記載の情報処理装置である。
【発明の効果】
【００１８】
本発明によれば、極細の同軸ケーブルは従来のケーブルに比べ外部導体の構造が異なっている。上述のように従来の外部導体は１重の横巻き構造でその撚り方向は右撚り（Ｓ撚り方向）もしくは左撚り方向（Ｚ撚り）となっていたが、今回の発明により外部導体は２重の横巻き構造となっており、その１層目と２層目では撚り方向が逆になっている。このような構造をとることで捻回性の方向性を無くし、ケーブル自体の右回転，左回転にも十分な強度を持ったケーブルを実現できるという効果がある。
【００１９】
さらに、横巻きを２層構造とすることで外部導体のシールド性が向上する。また、横巻きを２層構造にすることでケーブルの引張破断強度が向上し、高い引張り応力が働いた状況下においても断線が起こり難いという効果がある。
【発明を実施するための最良の形態】
【００２０】
本発明の実施の形態を、図面を参照して説明する。
【００２１】
図１に示すように、同軸ケーブル（本例では極細の同軸ケーブルを想定している）１は、複数の素線（導線）５からなる中心導体３と、前記中心導体３の外周に形成された絶縁層７と、前記絶縁層７の外周に形成された外部導体９と、前記外部導体９を覆ったジャケット１３とを有する。
【００２２】
そして、前記外部導体９は少なくとも複数の素線（導線）１１ａの横巻き右撚り層９ａと、複数の素線（導線）１１ｂの横巻き左撚り層９ｂとを有する。すなわち、例えば前記撚り層は２層からなり１層目は横巻き右撚り層または横巻き左撚り層のうち一方の層であり、２層目は前記１層目を覆うように形成された他方の層である。本例では、外側の層を右撚り層とし内側の層を左撚り層として想定しているが、外側の層を左撚り層とし、内側の層を右撚り層としても良いことは勿論である。
【００２３】
ここで、前記同軸ケーブル１の形状（大きさ）、材質、構造等を説明する。中心導体の素線径は０．０１〜０．０３ｍｍ程度で（例えば７本で構成）、材質は銅合金が望ましい。中心導体を覆う絶縁層はフッ素系樹脂（例えば、ＰＦＡ，ＦＥＰ，ＥＴＦＥ）が好ましい。外部導体は外径０．０１〜０．０３ｍｍ程度の素線１５〜２５本程度で構成される。材質は銅合金が望ましい。外部導体を覆うジャケットは例えばＰＦＡが望ましく、同軸ケーブルの外径は０．２〜０．３ｍｍ程度である。
【００２４】
図２を参照する。前記同軸ケーブル１の外部導体９の各層の撚り方向を示している。すなわち、外部導体は２層の撚り層を有し、外側の層９ａは横巻き右撚りであり、内側の層９ｂは横巻き左撚りであることを想定している。
【００２５】
ここで、捻回特性について説明する。上述のように外部導体９の外側の層９ａは複数の素線１１ａが横巻き右撚りに形成されている。そして、外部導体９の内側の層９ｂは素線１１ｂが横巻き左撚りに形成されている。
【００２６】
このように構成された外部導体９に、例えば、矢印ＡＲ１，矢印ＡＲ３方向の捻回が生じた場合、横巻き右撚りの層９ａはこの捻回に対して、素線１１ａの断線等が発生し易い（これは、撚り方向と同じ方向に引張応力が生じるためである）。しかし、内側の横巻き左撚りの層９ｂは捻回に対して素線１１ｂの断線が発生し難い（これは、撚り方向と反対の方向であるため素線には引張応力が生じないためである）。このため、同軸ケーブル全体としてみた場合、この方向に対しての強度が高くなるという効果がある。
【００２７】
一方、例えば、矢印ＡＲ２，矢印ＡＲ４方向の捻回が生じた場合、横巻き左撚りの層９ｂはこの捻回に対して、素線１１ｂの断線等が発生し易い。しかし、外側の横巻き右撚りの層９ａはこの捻回に対して素線１１ａの断線が発生し難い。このため、同軸ケーブル全体としてみた場合、この方向に対しての強度が高くなるという効果がある。
【００２８】
さらに、外部導体９の横巻き層を２重にすることで、この外部導体９のシールド性が向上し、外部からのノイズ等に対して影響されないより安定した同軸ケーブル１になる。
【００２９】
さらに、外部導体９が２重の層であるため同軸ケーブル１は引張破断強度が向上し、同軸ケーブルに高い引張応力が状況下においても断線が起こり難いという効果がある。
【００３０】
図３を参照する。本体２３と、表示部２５とを備えた情報処理装置（携帯電話）２１を示している。前記情報処理装置（携帯電話）２１には、前記本体２３と前記表示部２５との間の信号送受信用の同軸ケーブル１が配線されている。
【００３１】
すなわち、前記本体２３にはキーボード（図示省略）の下側に基板２９が配置されている。この基板２９に備えられたコネクタ３１を介して同軸ケーブル１が基板２９に接続され、ヒンジ部２７を通り、表示部２５側の表示エリア３５を有する液晶部分３３にコネクタ３７を介して接続されている。
【００３２】
一方、前記表示部２５はヒンジ部２７により本体２３に対して回転自在である。すなわち、前記表示部２５は回転軸Ｓ１に対して回転自在であるとともに、回転軸Ｓ２に対しても回転自在である。なお、この回転軸Ｓ２に対しての回転角度は一方の方向は９０°であり他方の方向は１８０°であるものである。
【００３３】
この結果、同軸ケーブル１には回転軸Ｓ２に対して回転する方向の捻回が生じる。
【００３４】
しかし、上述したように前記同軸ケーブル１は、中心導体５と、前記中心導体５の外周に形成された絶縁層７と、前記絶縁層７の外周に形成された外部導体９と、前記外部導体９を覆ったジャケット１３とを有している（図１参照）。
【００３５】
さらに、前記外部導体９は少なくとも複数の素線の横巻き右撚り層９ａと、複数の素線の横巻き左撚り層９ｂとを有する。すなわち、前記撚り層は２層からなり１層目は横巻き右撚り層または横巻き左撚り層のうち一方の層であり、２層目は前記１層目を覆うように形成された他方の層である（図２参照）。これにより、同軸ケーブル１の耐久性があるため、情報処理装置（携帯電話）の性能が安定するという効果がある。
【００３６】
なお、本発明は、上述した実施の態様の例に限定されることなく、適宜の変更を加えることにより、その他の態様で実施できるものである。
【図面の簡単な説明】
【００３７】
【図１】同軸ケーブルの構造を説明する説明図である。
【図２】同軸ケーブルの構造を説明する説明図である。
【図３】携帯電話に備えられた同軸ケーブルを説明する説明図である。
【図４】従来の技術を説明する従来図である。
【符号の説明】
【００３８】
１  同軸ケーブル
３  中心導体
５  素線
７  絶縁層
９  外部導体
９ａ  一方の横巻き撚り層
９ｂ  他方の横巻き撚り層
１１ａ  素線
１１ｂ  素線
１３    ジャケット
【図１】
2005317221.tif 000003
【図２】
2005317221.tif 000004
【図３】
2005317221.tif 000005
【図４】
2005317221.tif 000006